(57)【要約】【課題】確実に異常を検知できるようにしたサニタリ装置を提供する。【解決手段】浴室換気乾燥暖房機１は、人の有無を検知する人検知センサ１５ａと、人検知センサ１５ａによる人の検知に伴う報知の有無を選択するコミュニケーションボタン１２を有した操作部１０と、コミュニケーションボタン１２が操作されると、人検知センサ１５ａによる人の有無の検知を開始する本体制御部１６ａと、人検知センサ１５ａにより人を検知したことが報知される外部の通信ネットワーク３００に接続される通信部１７を備える。【選択図】    図１Ａ
2020187442.tif 000002
【特許請求の範囲】
【請求項１】
サニタリ室で人の有無を検知する人検知手段と、
前記人検知手段による人の検知に伴う報知の有無を選択する操作選択部を有した操作手段と、
前記操作選択部の操作に基づき、前記人検知手段による人の有無の検知を開始する制御手段と
を備えたサニタリ装置。
【請求項２】
前記人検知手段により人を検知したことが報知される外部の通信ネットワークに接続される通信手段を備えた
請求項１に記載のサニタリ装置。
【請求項３】
前記制御手段は、前記人検知手段により人を検知したと判断すると、前記外部の通信ネットワークに接続される外部端末装置に、前記人検知手段により人を検知したことを前記通信手段を介して報知する
請求項２に記載のサニタリ装置。
【請求項４】
光と音の何れかまたは光と音の両方をサニタリ室に出力する報知手段を備え、
前記制御手段は、前記人検知手段により人を検知したと判断すると、前記報知手段で報知する
請求項１〜請求項３の何れか１項に記載のサニタリ装置。
【請求項５】
サニタリ室以外の室内外に備えた第２の人検知手段と前記制御手段が接続され、
前記制御手段は、サニタリ室に備えた前記人検知手段またはサニタリ室以外の室内外に備えた前記第２の人検知手段により人を検知したと判断すると、その旨を前記外部の通信ネットワークに接続される前記外部端末装置に報知する
請求項３に記載のサニタリ装置。
【請求項６】
サニタリ室以外の室内外に備えた報知手段と前記制御手段が接続され、
前記制御手段は、サニタリ室に備えた前記人検知手段またはサニタリ室以外の室内外に備えた前記人検知手段により人を検知したと判断すると、サニタリ室に備えた前記報知手段またはサニタリ室以外の室内外に備えた前記報知手段で報知する
請求項５に記載のサニタリ装置。
【発明の詳細な説明】
【技術分野】
【０００１】
本発明は、浴室の暖房、浴室及び他室の換気等を行うサニタリ装置に関する。
【背景技術】
【０００２】
従来より、高気密住宅の全室空気循環を行うシステムにおいて、排気側に設けられた風量検出器により、例えば浴室に設置された窓の開け閉めによる風量の急激な変動を検知可能な技術が提案されている（例えば、特許文献１参照）。
【０００３】
窓の開け閉めを検知可能とすることで、例えば窓から不審者が侵入した等の異常を検知できる場合があり、全室空気循環システムに防犯機能を持たせることができる。
【先行技術文献】
【特許文献】
【０００４】
【特許文献１】特開２００８−１８５３２４号公報
【発明の概要】
【発明が解決しようとする課題】
【０００５】
しかし、窓の開け閉めを検知できるだけでは、その開け閉めが不審者によるものなのか、居住者によるものなのか判別することができない。従って、居住者による窓の開け閉めであるにも関わらず、それを不審者の侵入と誤検知してしまうおそれがある。
【０００６】
本発明は、このような課題を解決するためなされたもので、居住者が外出中であったり、就寝中であったりして居住者が窓を開けることができない場合に、不審者の侵入等の異常を確実に検知できるようにしたサニタリ装置を提供することを目的とする。
【課題を解決するための手段】
【０００７】
上述した課題を解決するため、本発明は、サニタリ室で人の有無を検知する人検知手段と、人検知手段による人の検知に伴う報知の有無を選択する操作選択部を有した操作手段と、操作選択部が操作されると、人検知手段による人の有無の検知を開始する制御手段とを備えたサニタリ装置である。
【０００８】
本発明では、居住者が在宅中等で操作選択部が操作されていない状態では、人検知手段による人の有無の検知を行わない。居住者が外出する際に操作選択部が操作されると、人検知手段による人の有無の検知が開始される。
【発明の効果】
【０００９】
本発明によれば、操作選択部が操作されると、人検知手段による人の有無の検知が開始されるので、サニタリ装置を利用して確実に異常を検知し、報知することができる。
【図面の簡単な説明】
【００１０】
【図１Ａ】本実施の形態の浴室換気乾燥暖房機及び浴室換気乾燥暖房機を備えた住宅の一例を示す機能ブロック図である。
【図１Ｂ】浴室換気乾燥暖房機を備えた浴室等のサニタリ室の一例を示す構成図である。
【図２】浴室換気乾燥暖房機の操作部の一例を示す構成図である。
【図３】監視モードの一例を示すフローチャートである。
【発明を実施するための形態】
【００１１】
以下、図面を参照して、本発明のサニタリ装置の一例である換気、乾燥、暖房等の空調機能を有する浴室空調装置としての浴室換気乾燥暖房機の実施の形態について説明する。
【００１２】
＜本実施の形態の浴室換気乾燥暖房機の構成例＞
図１Ａは、本実施の形態の浴室換気乾燥暖房機及び浴室換気乾燥暖房機を備えた住宅の一例を示す機能ブロック図、図１Ｂは、浴室換気乾燥暖房機を備えた浴室等のサニタリ室の一例を示す構成図、図２は、浴室換気乾燥暖房機の操作部の一例を示す構成図である。
【００１３】
浴室換気乾燥暖房機１を備えた住宅２００は、図１Ｂにも示すように、浴室２０１、洗面所２０２、トイレ２０３等のサニタリ室２００Ａを有する。また、住宅２００は、玄関２０４、台所．寝室、居間等の居室２０５等を有する。サニタリ室２００Ａは、例えば、浴室２０１に窓２０１ｗが設けられる。また、洗面所２０２に窓２０２ｗが設けられていても良いし、トイレ２０３に窓２０３ｗが設けられていても良い。更に、サニタリ室２００Ａは、浴室２０１と洗面所２０２が隣接する構成となっているものが多く、ドア２０１ｄの開閉で洗面所２０２から浴室２０１への出入りが可能である。
【００１４】
浴室換気乾燥暖房機１は、浴室２０１の天井や壁に設置される。また、浴室換気乾燥暖房機１は、運転モードの選択等の利用者の操作を受け、利用者の操作に基づく制御情報を出力する操作部１０を備える。操作部１０は操作手段の一例で、浴室換気乾燥暖房機１と独立して洗面所２０２に設けられ、有線または無線で浴室換気乾燥暖房機１と接続される。
【００１５】
操作部１０は、運転モードの選択を行う運転モードボタン１１を備える。操作部１０は、運転モードボタン１１として、図２に示すように、暖房運転モードの実行の有無を選択する暖房運転モード選択ボタン１１ａと、換気運転モードの実行の有無を選択する換気運転モード選択ボタン１１ｂと、乾燥運転モードの実行の有無を選択する乾燥運転モード選択ボタン１１ｃと、涼風運転モードの実行の有無を選択する涼風運転モード選択ボタン１１ｄを備える。また、操作部１０は、運転モードボタン１１として、２４時間換気運転モードの実行の有無を選択する２４時間換気運転モード選択ボタン１１ｅと、運転を停止する停止ボタン１１ｆと、運転を開始、停止する時間を指定するタイマー切替ボタン１１ｇを備える。
【００１６】
更に、操作部１０は、浴室換気乾燥暖房機１を使用する住宅２００の居住者と、外部との間で所定のコミュニケーションを図る操作を選択する操作選択部の一例であるコミュニケーションボタン１２を備える。コミュニケーションボタン１２は、本例では、住宅２００の居住者が外出する際に操作されることで、監視モードの実行の有無が選択される。
【００１７】
また、操作部１０は、各運転モードボタン１１で選択された運転モード、風量等を示すランプ、図示しないが、英数字等を表示する７セグメントディスプレイ、液晶、有機ＥＬディスプレイ等で構成される表示部１１ｈを備える。
【００１８】
浴室換気乾燥暖房機１は、浴室２０１から空気を吸い込んで、屋外に排気する換気手段としての換気ファン１３ａと、浴室２０１から空気を吸い込み、吸い込んだ空気を循環させて浴室２０１に吹き出す送風手段としての循環ファン１３ｂを備える。なお、浴室２０１内の空気の循環と、屋外への排気を行う機能を、２つのファンで行う構成でも良く、また、１つのファンと風路を切り替えるダンパで行う構成としても良い。換気ファン１３ａは、図１Ｂに示すダクト１００ｄで屋外と接続される。また、浴室換気乾燥暖房機１は、循環ファン１３ｂで浴室２０１に吹き出される空気を加熱する加熱手段としてのヒータ１３ｃを備える。
【００１９】
浴室換気乾燥暖房機１は、浴室２０１の温度を検出する温度センサ１４ａを備える。温度センサ１４ａは温度検知手段の一例で、例えば、循環ファン１３ｂの図示しない吸込口に設けられ、循環ファン１３ｂで吸い込まれる浴室２０１内の空気の温度を検知する。また、浴室換気乾燥暖房機１は、浴室２０１の湿度を検出する湿度センサ１４ｂを備えても良い。
【００２０】
更に、浴室換気乾燥暖房機１は、洗面所２０２の温度を検出する温度センサ２２ａを備えても良い。温度センサ２２ａは温度検知手段の一例で、操作部１０に設ける構成でも良いし、洗面所２０２の壁、天井等に設ける構成でも良い。なお、浴室換気乾燥暖房機１は、洗面所２０２の湿度を検出する湿度センサ２２ｂを操作部１０等に備えても良い。
【００２１】
また、浴室換気乾燥暖房機１は、人の有無を検知する人検知センサ１５ａを備える。人検知センサ１５ａは人検知手段の一例で、人感センサ、赤外線センサ、集音マイク等で構成される。人検知センサ１５ａは、例えば、浴室換気乾燥暖房機１の図１Ｂに示すフロントパネル１００ｆに設けられ、浴室換気乾燥暖房機１が設置された浴室２０１における人の有無を検知する。
【００２２】
更に、浴室換気乾燥暖房機１は、洗面所２０２に人検知センサ１５ｂを備えても良い。人検知センサ１５ｂは上述した人検知手段の一例で、操作部１０に設ける構成でも良いし、洗面所２０２の壁、天井等に設ける構成でも良く、洗面所２０２における人の有無を検知する。
【００２３】
浴室換気乾燥暖房機１は、換気ファン１３ａ、循環ファン１３ｂ及びヒータ１３ｃ等を制御する本体制御部１６ａを備える。本体制御部１６ａは制御手段の一例で、操作部１０から入力された制御情報、温度センサ１４ａ、湿度センサ１４ｂから入力された浴室２０１の温湿度情報、温度センサ２２ａ、湿度センサ２２ｂから入力された洗面所２０２の温湿度情報、人検知センサ１５ａ、１５ｂから入力された人検知情報等に基づき、暖房運転モード、換気運転モード、乾燥運転モード及び涼風運転モードと、監視モードを実行する。
【００２４】
浴室換気乾燥暖房機１は、操作部１０に操作部制御部１６ｂを備える。操作部制御部１６ｂは制御手段の一例で、上述した各選択ボタンの操作等により操作部１０で取得、生成した制御情報を本体制御部１６ａに出力する。
【００２５】
浴室換気乾燥暖房機１は、インターネット等の外部の通信ネットワーク３００と通信を行う通信部１７を操作部１０に備える。通信部１７は通信手段の一例で、有線または無線で通信ネットワーク３００と接続される。
【００２６】
浴室換気乾燥暖房機１は、報知手段として浴室２０１内を照らす照明１８ａを備えても良い。また、浴室換気乾燥暖房機１は、報知手段としてブザー、スピーカ等、音を出力する音出力部１９ａを備えても良い。照明１８ａ及び音出力部１９ａは、浴室換気乾燥暖房機１に備えても良いし、浴室換気乾燥暖房機１とは独立して浴室２０１の天井や壁に備えても良い。更に、浴室換気乾燥暖房機１は、報知手段としてブザー、スピーカ等、音を出力する音出力部１９ｂを操作部１０に備えても良い。
【００２７】
また、浴室換気乾燥暖房機１は、浴室２０１に設けた浴室照明２０１ａの点灯と消灯を切り替える浴室照明スイッチ２１と、本体制御部１６ａが接続されていても良い。本体制御部１６ａの制御で浴室照明２０１ａの点灯、消灯をできるようにして、浴室照明２０１ａを報知手段として機能させても良い。通常、人により操作される浴室２０１の照明スイッチ２０１ｓは、洗面所２０２に設けられるが、浴室照明スイッチ２１は、この人により操作される照明スイッチ２０１ｓによるＯＮ、ＯＦＦによらず、浴室照明２０１ａの点灯と消灯が可能に構成される。
【００２８】
更に、浴室換気乾燥暖房機１は、洗面所２０２に設けた洗面所照明２０２ａの点灯と消灯を切り替える洗面所照明スイッチ２２と、本体制御部１６ａが接続されていても良い。本体制御部１６ａの制御で洗面所照明２０２ａの点灯、消灯をできるようにして、洗面所照明２０２ａを報知手段として機能させても良い。
【００２９】
また、浴室換気乾燥暖房機１は、浴室２０１、洗面所２０２等のサニタリ室２００Ａ以外の室内外に設けた照明、例えば、玄関２０４の外に設けた玄関外照明２０４ａの点灯と消灯を切り替える玄関外照明スイッチ２４と、本体制御部１６ａが接続されていても良い。本体制御部１６ａの制御で玄関外照明２０４ａの点灯、消灯をできるようにして、玄関外照明２０４ａを報知手段として機能させても良い。
【００３０】
更に、浴室換気乾燥暖房機１は、住宅２００で火災等が発生したことを検知して報知する報知器２０６と、本体制御部１６ａが接続されていても良い。本体制御部１６ａの制御で報知器２０６を作動できるようにして、報知器２０６を報知手段として機能させても良い。
【００３１】
また、浴室換気乾燥暖房機１は、音が入力されるマイク等の音入力部２０ａを備えても良い。音入力部２０ａは音入力手段の一例で、例えば、浴室換気乾燥暖房機１のフロントパネルに設けられ、浴室換気乾燥暖房機１が設置された浴室２０１における音を集音する。なお、音入力部２０ａで浴室２０１における人検知手段を構成しても良い。
【００３２】
更に、浴室換気乾燥暖房機１は、音が入力されるマイク等の音入力部２０ｂを洗面所２０２に備えても良い。音入力部２０ｂは音入力手段の一例で、操作部１０に設ける構成でも良いし、洗面所２０２の壁、天井等に設ける構成でも良く、洗面所２０２における音を集音する。なお、音入力部２０ｂで洗面所２０２における人検知手段を構成しても良い。
【００３３】
また、浴室換気乾燥暖房機１は、浴室２０１、洗面所２０２以外のサニタリ室２００Ａに設けた人検知手段の一例である人検知センサ、例えば、トイレ２０３に設けた人検知センサ２０３ｂと、本体制御部１６ａが接続されていても良い。また、浴室換気乾燥暖房機１は、サニタリ室２００Ａ以外の室内外に設けた第２の人検知手段の一例である人検知センサ、例えば、玄関２０４に設けた人検知センサ２０４ｂと、本体制御部１６ａが接続されていても良い。
【００３４】
更に、トイレ２０３に設けた図示しない換気扇を作動させるトイレ換気スイッチ２０３ｃと、本体制御部１６ａが接続されていても良い。
【００３５】
＜本実施の形態の浴室換気乾燥暖房機の動作例＞
次に、浴室換気乾燥暖房機１の動作例について説明する。まず、暖房運転モード、換気運転モード、乾燥運転モード及び涼風運転モードについて説明する。
【００３６】
浴室換気乾燥暖房機１の本体制御部１６ａは、操作部１０で暖房運転モード選択ボタン１１ａが操作されることで暖房運転モードが選択され、操作部制御部１６ｂから制御情報が入力されると、循環ファン１３ｂ及びヒータ１３ｃを制御して、浴室２０１内に加熱された空気を吹き出す暖房運転を行う。暖房運転では、温度センサ１４ａで検知した浴室２０１内の温度に基づき、循環ファン１３ｂの風量、ヒータ１３ｃの出力が制御される。なお、温度センサ２２ａで検知した洗面所２０２内の温度に基づき、循環ファン１３ｂの風量、ヒータ１３ｃの出力が制御されても良い。
【００３７】
また、本体制御部１６ａは、操作部１０で換気運転モード選択ボタン１１ｂが操作され、換気運転モードが選択されると、換気ファン１３ａを制御して、浴室２０１内の空気を屋外に排気する換気運転を行う。換気運転では、湿度センサ１４ｂで検知した浴室２０１内の湿度に基づき、浴室２０１内の湿度が所定の値となるように、換気ファン１３ａの風量を制御しても良い。なお、湿度センサ２２ｂで検知した洗面所２０２内の湿度に基づき、換気ファン１３ａの風量を制御しても良い。また、トイレ換気スイッチ２０３ｃでトイレ２０３の図示しない換気扇が作動していることを検知すると、過換気とならないように、換気ファン１３ａの風量を制御しても良い。なお、本体制御部１６ａは、操作部１０で２４時間換気運転モード選択ボタン１１ｅが操作され、２４時間換気運転モードが選択されると、所定の換気風量となるように換気ファン１３ａを制御して、浴室２０１内の空気を屋外に排気する換気運転を行う。
【００３８】
更に、本体制御部１６ａは、操作部１０で乾燥運転モード選択ボタン１１ｃが操作され、乾燥運転モードが選択されると、換気ファン１３ａ、循環ファン１３ｂ及びヒータ１３ｃを制御して、浴室２０１内に加熱された空気を吹き出しながら、浴室２０１内の空気を屋外に排気する乾燥運転を行う。乾燥運転では、湿度センサ１４ｂで検知した浴室２０１内の湿度に基づき、浴室２０１内の湿度が所定の値となるように、換気ファン１３ａ、循環ファン１３ｂの風量及びヒータ１３ｃの出力を制御しても良い。なお、湿度センサ２２ｂで検知した洗面所２０２内の湿度に基づき、換気ファン１３ａ、循環ファン１３ｂの風量及びヒータ１３ｃの出力を制御しても良い。
【００３９】
また、本体制御部１６ａは、操作部１０で涼風運転モード選択ボタン１１ｄが操作され、涼風運転モードが選択されると、循環ファン１３ｂを制御して、浴室２０１内に室温に応じた空気を吹き出す涼風運転を行う。
【００４０】
図３は、監視モードの一例を示すフローチャートであり、次に、監視モードについて説明する。
【００４１】
浴室換気乾燥暖房機１の本体制御部１６ａは、図３のステップＳＡ１で、操作部１０のコミュニケーションボタン１２が操作されることで本例では監視モードが選択され、操作部制御部１６ｂから制御情報が入力されると、ステップＳＡ２で監視モードを実行する。
【００４２】
本体制御部１６ａは、監視モードが実行されると、ステップＳＡ３で、浴室２０１内に人が居るか否かを人検知センサ１５ａで監視する。本体制御部１６ａは、浴室２０１内に人が居ると判断すると、ステップＳＡ４で、所定の出力による報知を行う。
【００４３】
例えば、本体制御部１６ａは、監視モードの実行中に人検知センサ１５ａで人を検知したと判断すると、通信ネットワーク３００に接続されたスマートフォン等の外部端末装置３０１に電子メール等で通知を行う。浴室換気乾燥暖房機１は、住宅２００の居住者に関係する親族、住宅２００の管理者等が所有する外部端末装置３０１に割り当てられたメールアドレスが登録され、住宅２００の居住者に関係する親族等が所有する外部端末装置３０１に、侵入者が居る旨の通知を電子メールで行っても良い。また、浴室換気乾燥暖房機１は、住宅２００の居住者が所有する外部端末装置３０１に割り当てられたメールアドレスが登録され、住宅２００の居住者が所有する外部端末装置３０１に、侵入者が居る旨の通知を電子メールで行っても良い。
【００４４】
なお、操作部１０のコミュニケーションボタン１２が操作されると、コミュニケーションボタン１２が操作されたこと、監視モードが開始されたことを外部端末装置３０１に通知しても良い。
【００４５】
また、通常の住宅２００では、浴室２０１と洗面所２０２は隣接しており、浴室２０１から出るためには洗面所２０２を通ることから、洗面所２０２に設けた人検知センサ１５ｂで洗面所２０２に人が居るか否かを監視しても良い。本体制御部１６ａは、洗面所２０２に人が居ると判断すると、上述した所定の外部端末装置３０１に侵入者が居る旨の通知を電子メール等で行う。なお、浴室２０１、洗面所２０２に人が居るか否かの検知は、音入力部２０ａ、２０ｂで音が検知されると、人が居ると判断しても良い。
【００４６】
また、本体制御部１６ａは、監視モードの実行中に人検知センサ１５ａで浴室２０１に人が居ることを検知したと判断すると、照明１８ａを点灯または点滅させることで警告を行っても良い。更に、本体制御部１６ａは、監視モードの実行中に人検知センサ１５ａで浴室２０１に人が居ることを検知したと判断すると、浴室照明スイッチ２１で浴室照明２０１ａを制御し、浴室照明２０１ａを点灯または点滅させることで警告を行っても良い。
【００４７】
また、本体制御部１６ａは、監視モードの実行中に人検知センサ１５ａで浴室２０１に人が居ることを検知したと判断すると、洗面所照明スイッチ２２で洗面所照明２０２ａを制御し、洗面所照明２０２ａを点灯または点滅させることで警告を行っても良い。更に、本体制御部１６ａは、監視モードの実行中に人検知センサ１５ｂで洗面所２０２に人が居ることを検知したと判断すると、洗面所照明スイッチ２２で洗面所照明２０２ａを制御し、洗面所照明２０２ａを点灯または点滅させることで警告を行っても良い。
【００４８】
また、本体制御部１６ａは、監視モードの実行中に人検知センサ１５ａで浴室２０１に人が居ることを検知したと判断すると、音出力部１９ａで警報音、警告の文言等による音声を浴室２０１内に出力して警告を行っても良い。更に、本体制御部１６ａは、監視モードの実行中に人検知センサ１５ａで浴室２０１に人が居ることを検知したと判断すると、音出力部１９ｂで警報音、警告の文言等による音声を洗面所２０２内に出力して警告を行っても良い。また、本体制御部１６ａは、監視モードの実行中に人検知センサ１５ｂで洗面所２０２に人が居ることを検知したと判断すると、音出力部１９ｂで警報音、警告の文言等による音声を洗面所２０２内に出力して警告を行っても良い。また、浴室換気乾燥暖房機１で暖房運転モード、換気運転モード、乾燥運転モード、涼風運転モードの少なくとも１つを実行することで警告を行っても良い。また、浴室換気乾燥暖房機１と共にサニタリ装置の一例である洗面所２０２に設けた図示しない暖房機を作動させて警告を行っても良い。
【００４９】
また、本体制御部１６ａは、監視モードの実行中に人検知センサ１５ａで人を検知したと判断すると、玄関外照明スイッチ２４で玄関外照明２０４ａを制御し、玄関外照明２０４ａを点灯または点滅させることで住宅２００外への報知を行っても良い。更に、本体制御部１６ａは、監視モードの実行中に人検知センサ１５で人を検知したと判断すると、報知器２０６を作動させる信号を出力し、報知器２０６で報知を行っても良い。
【００５０】
なお、本体制御部１６ａは、監視モードの実行中に浴室２０１、洗面所２０２以外のサニタリ室２００Ａであるトイレ２０３の人検知センサ２０３ｂ、サニタリ室２００Ａ以外の玄関２０４の外に設けた人検知センサ２０４ｂで人を検知したと判断すると、上述した所定の出力による報知を行っても良い。また、コミュニケーションボタン１２は、居住者の外出に先立って操作しても良いが、居住者の在宅時であっても、就寝時等のように浴室２０１や洗面所２０２を利用するおそれのない状況のときに操作しても良い。更に、人検知センサ１５ａ、１５ｂで人が居ることを検知したと判断すると、外部端末装置３０１に通知することに加えて、管理会社にも通知するようにしても良い。また、操作部１０の表示部１１ｈに、人が居ることを示す表示を行っても良いし、音出力部１９ａ、１９ｂを作動させるようにしても良い。更に、外部端末装置３０１からコミュニケーションボタン１２を操作できるようにしても良い。
【００５１】
＜本実施の形態の浴室換気乾燥暖房機の効果例＞
一戸建ての住宅２００では、浴室２０１に２０１ｗ窓が設けられる構成となっている場合があり、浴室２０１が侵入者の侵入経路となり得る。
【００５２】
そこで、浴室換気乾燥暖房機１等に人検知センサ１５ａを備え、人の有無を検知できるようにすると共に、人の有無を検知することによる報知を行う監視モードを、操作部１０に設けたコミュニケーションボタン１２の操作で実行できるようにした。
【００５３】
これにより、住宅２００の居住者が外出するときに、コミュニケーションボタン１２の操作で監視モードを実行し、人が居ることの検知でスマートフォン等の外部端末装置３０１に通知すること、光、音で報知、警告することができる。従って、浴室換気乾燥暖房機１を利用して、住宅２００の居住者のみならず、住宅２００の居住者と別の住宅で暮らす親族、住宅２００の管理者、住宅２００の周囲等に通知を行うシステムを、安価に構築することができる。
【００５４】
また、サニタリ室２００Ａ以外に設けた人検知センサと浴室換気乾燥暖房機１を接続することで、浴室換気乾燥暖房機１を利用して玄関等からの侵入者を検知して、報知を行うことができる。
【符号の説明】
【００５５】
１・・・浴室換気乾燥暖房機、１０・・・操作部（操作手段）、１１・・・運転モードボタン、１２・・・コミュニケーションボタン、１３ａ・・・換気ファン、１３ｂ・・・循環ファン、１３ｃ・・・ヒータ、１４ａ・・・温度センサ、１４ｂ・・・湿度センサ、１５ａ、１５ｂ・・・人検知センサ（人検知手段）、１６ａ・・・本体制御部（制御手段）、１６ｂ・・・操作部制御部（制御手段）、１７・・・通信部（通信手段）、１８ａ・・・照明（報知手段）、１９ａ、１９ｂ・・・音出力部（報知手段）、２０ａ、２０ｂ・・・音入力部、２１・・・浴室照明スイッチ、２２・・・洗面所照明スイッチ、２２ａ・・・温度センサ、２２ｂ・・・湿度センサ、２４・・・玄関外照明スイッチ、２００・・・住宅、２０１・・・浴室、２０１ａ・・・浴室照明（報知手段）、２０２・・・洗面所、２０２ａ・・・洗面所照明（報知手段）、２０３・・・トイレ、２０３ｂ・・・人検知センサ、２０４・・・玄関、２０４ａ・・・玄関外照明（報知手段）、２０５・・・居室、２０６・・・報知器（報知手段）
【図１Ａ】
2020187442.tif 000003
【図１Ｂ】
2020187442.tif 000004
【図２】
2020187442.tif 000005
【図３】
2020187442.tif 000006